(57)【要約】【課題】電子マネー媒体のチャージ上限額に配慮する必要がなく、簡便に電子マネーをチャージすること。【解決手段】Ｒ／Ｗ部３１０は、電子マネー媒体のチャージ上限額および電子マネー残高を読み出す。残額取得部３５０は、プリペイドカードの残額を取得する。選択額取得部３６０は、プリペイドカードの残額のうちチャージすると選択された選択額を取得する。余裕額算出部３７０は、上限額から電子マネー残高を減算し、現時点でチャージ可能な余裕額を算出する。超過額算出部３８０は、選択額から余裕額を減算して超過額を算出する。チャージ額決定部３９０は、超過額が０を超える場合、余裕額を追加チャージするようＲ／Ｗ部３１０に指示するとともに、超過額を接続部３４０からカード精算装置２００へ通知する。そして、カード精算装置２００の現金払出部２４０から超過額に相当する現金が払い出される。【選択図】        図３
2007209445.tif 000002
【特許請求の範囲】
【請求項１】
電子マネー媒体に記憶された電子マネー残高を書き換えてチャージ処理を行う電子マネー端末装置であって、
ユーザが電子マネー媒体へのチャージを希望するチャージ希望額を取得する取得手段と、
前記電子マネー媒体にチャージ可能な余裕額を算出する算出手段と、
前記算出手段によって算出された余裕額を上限として前記取得手段によって取得されたチャージ希望額を前記電子マネー媒体の電子マネー残高に加算するチャージ手段と、
前記取得手段によって取得されたチャージ希望額が前記算出手段によって算出された余裕額を超える場合に、チャージ希望額から余裕額を減算して得られる超過額を精算処理する精算処理手段と
を有することを特徴とする電子マネー端末装置。
【請求項２】
前記精算処理手段は、
前記超過額を現金で払い出すための払出処理を行うことを特徴とする請求項１記載の電子マネー端末装置。
【請求項３】
前記精算処理手段は、
前記超過額を他の電子マネー媒体にチャージするためのチャージ処理を行うことを特徴とする請求項１記載の電子マネー端末装置。
【請求項４】
前記取得手段は、
遊技店において用いられるプリペイドカードの残額をチャージ希望額として取得することを特徴とする請求項１記載の電子マネー端末装置。
【請求項５】
前記算出手段は、
前記電子マネー媒体のチャージ上限額から前記電子マネー媒体の電子マネー残高を減算して余裕額を算出することを特徴とする請求項１記載の電子マネー端末装置。
【請求項６】
現金として払出処理が可能な金種を検出する検出手段をさらに有し、
前記精算処理手段は、
前記超過額に前記超過額との総和が前記検出手段によって検出された金種で払い出し可能となる調整額を加算して得られた額を現金で払い出すための払出処理を行い、
前記チャージ手段は、
余裕額から前記調整額を減算して得られた額を前記電子マネー媒体の電子マネー残高に加算する
ことを特徴とする請求項２記載の電子マネー端末装置。
【請求項７】
電子マネー媒体に記憶された電子マネー残高を書き換えてチャージ処理を行う電子マネーチャージ方法であって、
ユーザが電子マネー媒体へのチャージを希望するチャージ希望額を取得する取得工程と、
前記電子マネー媒体にチャージ可能な余裕額を算出する算出工程と、
前記算出工程にて算出された余裕額を上限として前記取得工程にて取得されたチャージ希望額を前記電子マネー媒体の電子マネー残高に加算するチャージ工程と、
前記取得工程にて取得されたチャージ希望額が前記算出工程にて算出された余裕額を超える場合に、チャージ希望額から余裕額を減算して得られる超過額を精算処理する精算処理工程と
を有することを特徴とする電子マネーチャージ方法。
【発明の詳細な説明】
【技術分野】
【０００１】
本発明は、電子マネー媒体に記憶された電子マネー残高を書き換えてチャージ処理を行う電子マネー端末装置および電子マネーチャージ方法に関し、特に、電子マネー媒体のチャージ上限額に配慮する必要がなく、簡便に電子マネーをチャージすることができる電子マネー端末装置および電子マネーチャージ方法に関する。
【背景技術】
【０００２】
近年、ＩＣカードや携帯電話などの電子マネー媒体にあらかじめ「チャージ」と呼ばれる入金処理を行い、電子マネー媒体にチャージされた電子マネーを現金の代わりに用いる電子マネー決済が盛んに行われている。例えば、パチンコ店などの遊技店においては、遊技媒体の貸し出しに使用されるプリペイドカードの購入に電子マネー決済を導入することが検討されている。
【０００３】
また、例えば特許文献１には、プリペイドカードの残額を精算する際に、現金として精算するのではなく、残額を電子マネー媒体にチャージすることが開示されている。遊技店において、上述のようにプリペイドカードの購入・精算を電子マネーで行うことができれば、遊技客は、現金を持ち歩かなくても遊技を行うことができ、利便性の向上を図ることができる。
【０００４】
【特許文献１】特開２００５−２６１５１１号公報
【発明の開示】
【発明が解決しようとする課題】
【０００５】
しかしながら、一般に、電子マネー媒体にはチャージできる上限額が定められており、電子マネー残高が既に上限額に近い場合は、プリペイドカードの残額の精算時に、残額を全額チャージできないことがあるという問題がある。すなわち、例えば電子マネー媒体のチャージ上限額が３００００円、かつ、現在の電子マネー残高が２７０００円である場合、この電子マネー媒体にチャージできるのは残り３０００円であり、プリペイドカードの残額が３０００円を超えていれば、残額を全額チャージすることはできない。
【０００６】
このような場合、遊技客は、プリペイドカードの残額を一旦現金に精算し、精算された現金で電子マネー媒体の上限額までチャージを行うことができるが、手間がかかるため、あまり現実的ではない。
【０００７】
本発明はかかる点に鑑みてなされたものであり、電子マネー媒体のチャージ上限額に配慮する必要がなく、簡便に電子マネーをチャージすることができる電子マネー端末装置および電子マネーチャージ方法を提供することを目的とする。
【課題を解決するための手段】
【０００８】
上記課題を解決するために、本発明は、電子マネー媒体に記憶された電子マネー残高を書き換えてチャージ処理を行う電子マネー端末装置であって、ユーザが電子マネー媒体へのチャージを希望するチャージ希望額を取得する取得手段と、前記電子マネー媒体にチャージ可能な余裕額を算出する算出手段と、前記算出手段によって算出された余裕額を上限として前記取得手段によって取得されたチャージ希望額を前記電子マネー媒体の電子マネー残高に加算するチャージ手段と、前記取得手段によって取得されたチャージ希望額が前記算出手段によって算出された余裕額を超える場合に、チャージ希望額から余裕額を減算して得られる超過額を精算処理する精算処理手段とを有することを特徴とする。
【０００９】
また、本発明は、上記発明において、前記精算処理手段は、前記超過額を現金で払い出すための払出処理を行うことを特徴とする。
【００１０】
また、本発明は、上記発明において、前記精算処理手段は、前記超過額を他の電子マネー媒体にチャージするためのチャージ処理を行うことを特徴とする。
【００１１】
また、本発明は、上記発明において、前記取得手段は、遊技店において用いられるプリペイドカードの残額をチャージ希望額として取得することを特徴とする。
【００１２】
また、本発明は、上記発明において、前記算出手段は、前記電子マネー媒体のチャージ上限額から前記電子マネー媒体の電子マネー残高を減算して余裕額を算出することを特徴とする。
【００１３】
また、本発明は、上記発明において、現金として払出処理が可能な金種を検出する検出手段をさらに有し、前記精算処理手段は、前記超過額に前記超過額との総和が前記検出手段によって検出された金種で払い出し可能となる調整額を加算して得られた額を現金で払い出すための払出処理を行い、前記チャージ手段は、余裕額から前記調整額を減算して得られた額を前記電子マネー媒体の電子マネー残高に加算することを特徴とする。
【００１４】
また、本発明は、電子マネー媒体に記憶された電子マネー残高を書き換えてチャージ処理を行う電子マネーチャージ方法であって、ユーザが電子マネー媒体へのチャージを希望するチャージ希望額を取得する取得工程と、前記電子マネー媒体にチャージ可能な余裕額を算出する算出工程と、前記算出工程にて算出された余裕額を上限として前記取得工程にて取得されたチャージ希望額を前記電子マネー媒体の電子マネー残高に加算するチャージ工程と、前記取得工程にて取得されたチャージ希望額が前記算出工程にて算出された余裕額を超える場合に、チャージ希望額から余裕額を減算して得られる超過額を精算処理する精算処理工程とを有することを特徴とする。
【発明の効果】
【００１５】
本発明によれば、ユーザが電子マネー媒体へのチャージを希望するチャージ希望額を取得し、電子マネー媒体にチャージ可能な余裕額を算出し、算出された余裕額を上限として取得されたチャージ希望額を電子マネー媒体の電子マネー残高に加算し、チャージ希望額が余裕額を超える場合に、チャージ希望額から余裕額を減算して得られる超過額を精算処理する。このため、一度の処理で、チャージ上限額までの電子マネーのチャージと、チャージ上限額を超えた分の現金精算などとを行うことができ、電子マネー媒体のチャージ上限額に配慮する必要がなく、簡便に電子マネーをチャージすることができる。
【００１６】
また、本発明によれば、超過額を現金で払い出すための払出処理を行うため、チャージ上限額を超えてしまいチャージ不可能な分を確実に精算することができる。
【００１７】
また、本発明によれば、超過額を他の電子マネー媒体にチャージするためのチャージ処理を行うため、例えばユーザが所持する他の電子マネー媒体に超過額をチャージしたり、超過額がチャージされた新たな電子マネー媒体を発行したりすることにより、超過額を精算することができる。
【００１８】
また、本発明によれば、遊技店において用いられるプリペイドカードの残額をチャージ希望額として取得するため、プリペイドカードの残額を電子マネー精算する場合に、一度の処理で、チャージ上限額までの電子マネーのチャージを行うと同時に、チャージ上限額を超えた分の現金精算などとを行うことができる。
【００１９】
また、本発明によれば、電子マネー媒体のチャージ上限額から電子マネー媒体の電子マネー残高を減算して余裕額を算出するため、電子マネー媒体によって異なるチャージ上限額が規定されていても、チャージ上限額および電子マネー残高に応じた余裕額を臨機応変に求めることができる。
【００２０】
また、本発明によれば、現金として払出処理が可能な金種を検出し、超過額に超過額との総和が検出された金種で払い出し可能となる調整額を加算して得られた額を現金で払い出すための払出処理を行い、余裕額から調整額を減算して得られた額を電子マネー媒体の電子マネー残高に加算する。このため、例えば現金として紙幣のみが払い出し可能な場合にも、払い出し可能な金額が現金で精算されるとともに、電子マネーとしてチャージされる額がチャージ上限額を超えることがない。
【発明を実施するための最良の形態】
【００２１】
以下、本発明の実施の形態について、図面を参照して詳細に説明する。なお、以下においては、パチンコ店におけるプリペイドカードの残額を電子マネーとしてチャージする場合を例に挙げて説明するが、本発明はこれに限定されず、遊技店の会員カードに関連付けられた有価価値の精算や通常の現金によるチャージなどにも適用することができる。
【００２２】
（実施の形態１）
図１は、本発明の実施の形態１に係る遊技店内の遊技システムの概略を示す図である。同図に示すように、本実施の形態に係る遊技店内には、ターミナルコントローラ（以下「Ｔ／Ｃ」と略記する）１００にカード精算装置２００、カード発行装置４００、および島コントローラ５００が接続されている。そして、カード精算装置２００には、電子マネー端末装置３００が接続されており、島コントローラ５００には、複数のカードユニット６００が接続され、各カードユニット６００にパチンコ機７００が併設されている。
【００２３】
Ｔ／Ｃ１００は、遊技店全体を統括管理し、カード発行装置４００において発行されるプリペイドカードのＩＤと残額とを対応付けて記憶しておき、カードユニット６００による玉の貸出処理やカード精算装置２００による残額の精算処理が行われる際に、プリペイドカードの残額を通知したり更新したりする。
【００２４】
カード精算装置２００は、プリペイドカードの残額をＴ／Ｃ１００へ問い合わせ、遊技客の選択に応じて、現金として精算するか、または電子マネー端末装置３００へ残額を通知して電子マネーとして精算させる。また、カード精算装置２００は、電子マネー端末装置３００からの指示に従い、プリペイドカードの残額のうち、電子マネーとしてチャージされなかった分を現金として払い出す。
【００２５】
電子マネー端末装置３００は、カード精算装置２００に隣接して設置されており、カード精算装置２００からプリペイドカードの残額の通知を受け、電子マネー媒体に定められているチャージの上限額まで電子マネーをチャージする。そして、電子マネー端末装置３００は、プリペイドカードの残額のうち、上限額を超えてチャージできない分を遊技客が選択する処理方法で処理する。具体的には、チャージできない分は、カード精算装置２００から現金として払い出されたり、他の電子マネー媒体にチャージされたりする。カード精算装置２００および電子マネー端末装置３００による精算時の処理については、後に詳述する。
【００２６】
カード発行装置４００は、遊技客の所望の金額が関連付けられたプリペイドカードを発行し、プリペイドカードのＩＤと発行額とをＴ／Ｃ１００へ通知する。なお、カード発行装置４００は、現金によってプリペイドカードを発行しても良く、また、図１では省略したが、電子マネー端末装置をカード発行装置４００に接続し、電子マネー決済によってプリペイドカードを発行しても良い。
【００２７】
島コントローラ５００は、「島」と呼ばれる単位ごとに複数のカードユニット６００を管理し、Ｔ／Ｃ１００とカードユニット６００の間の情報のやり取りを中継する。カードユニット６００は、プリペイドカードが挿入されると、プリペイドカードの残額を上限として玉を貸し出す。遊技客は、カードユニット６００によって貸し出された玉をパチンコ機７００の盤面に弾き出すことにより遊技を行う。なお、玉の貸出処理については、カードユニット６００から玉が投出されるようにしても良く、カードユニット６００の投出指示によってパチンコ機７００から玉が投出されるようにしても良い。
【００２８】
図２は、本実施の形態に係るカード精算装置２００および電子マネー端末装置３００の外観を示す正面図である。同図に示すように、カード精算装置２００と電子マネー端末装置３００は、互いに隣接して設置され、接続されている。
【００２９】
カード精算装置２００には、プリペイドカードを挿入するための挿入口を有するカード受付部２１０が形成されており、遊技客は、残額の精算を希望するプリペイドカードをカード受付部２１０の挿入口へ挿入する。また、遊技客が精算方法を現金にするかまたは電子マネーのチャージにするかを選択するために、押しボタンなどを有する入力部２２０が設けられ、入力部２２０の上方には、遊技客に対する操作の指示などを表示する表示部２３０が設けられている。さらに、精算方法として現金が選択された場合や、電子マネー端末装置３００からの指示があった場合に、現金が払い出される現金払出部２４０が設けられている。
【００３０】
一方、電子マネー端末装置３００には、例えばＩＣカードや携帯電話などの電子マネー媒体が接近すると電子マネー媒体に記憶された電子マネー残高を書き換えるリーダライタ（以下「Ｒ／Ｗ」と略記する）部３１０が所定の位置に形成されている。また、Ｒ／Ｗ部３１０の隣には、電子マネー媒体のチャージの上限額を超えるチャージが指定された場合に、上限額を超えた超過額がチャージされた新規の電子マネー媒体を発行する新規媒体発行部３２０が形成されている。そして、電子マネー端末装置３００の上部には、例えば液晶タッチパネルなどで構成され、遊技客に対する操作の指示などを表示するとともに、遊技客によって押圧された領域を感知し、その領域に応じた入力が可能なユーザインタフェース（以下「ユーザＩ／Ｆ」と略記する）部３３０が設けられている。
【００３１】
図３は、図２に示したカード精算装置２００および電子マネー端末装置３００の要部構成を示すブロック図である。図３に示すカード精算装置２００は、カード受付部２１０、入力部２２０、表示部２３０、現金払出部２４０、ＩＤ読取部２５０、通信インタフェース（以下「通信Ｉ／Ｆ」と略記する）部２６０、残額検出部２７０、制御部２８０、および接続部２９０を有している。
【００３２】
カード受付部２１０は、上述したように挿入口を有しており、残額を精算する対象のプリペイドカードを受け付ける。入力部２２０は、プリペイドカードの残額を現金で精算するかまたは電子マネーで精算するかに関する遊技客の入力を受け付け、いずれの精算方法にするかを制御部２８０へ通知する。
【００３３】
表示部２３０は、プリペイドカードの残額を表示するとともに、遊技客に対して残額の精算方法を入力部２２０から入力させる指示などを表示する。現金払出部２４０は、制御部２８０の制御に従って、精算方法として現金精算が選択された場合や電子マネー端末装置３００においてプリペイドカードの残額がチャージしきれなかった場合に現金を払い出す。
【００３４】
ＩＤ読取部２５０は、カード受付部２１０に受け付けられたプリペイドカードのＩＤを読み取り、通信Ｉ／Ｆ部２６０へ出力する。通信Ｉ／Ｆ部２６０は、プリペイドカードのＩＤをＴ／Ｃ１００へ送信し、送信したＩＤに対応する残額をＴ／Ｃ１００から受信する。残額検出部２７０は、通信Ｉ／Ｆ部２６０によって受信されたプリペイドカードの残額を検出し、表示部２３０へ出力して表示させるとともに、制御部２８０へ出力する。
【００３５】
制御部２８０は、入力部２２０から現金精算にする旨が通知された場合は、残額検出部２７０から出力される残額を現金払出部２４０から払い出させる。また、入力部２２０から電子マネー精算する旨が通知された場合は、残額検出部２７０から出力される残額を接続部２９０を通じて電子マネー端末装置３００へ通知する。さらに、制御部２８０は、電子マネー端末装置３００によってチャージされなかった超過額を接続部２９０を通じて受け取り、この超過額を現金払出部２４０から払い出させる。接続部２９０は、電子マネー端末装置３００と接続し、制御部２８０から出力されるプリペイドカードの残額を電子マネー端末装置３００へ送出し、電子マネー端末装置３００から送出される超過額を受け取って制御部２８０へ出力する。
【００３６】
一方、図３に示すように、本実施の形態に係る電子マネー端末装置３００は、Ｒ／Ｗ部３１０、新規媒体発行部３２０、ユーザＩ／Ｆ部３３０、接続部３４０、残額取得部３５０、選択額取得部３６０、余裕額算出部３７０、超過額算出部３８０、およびチャージ額決定部３９０を有している。
【００３７】
Ｒ／Ｗ部３１０は、電子マネー媒体が接近すると、この電子マネー媒体にチャージ可能な上限額および電子マネー残高を読み出し、余裕額算出部３７０へ通知する。また、Ｒ／Ｗ部３１０は、チャージ額決定部３９０から指示される金額を電子マネー媒体に書き込む。新規媒体発行部３２０は、チャージ額決定部３９０から指示される金額をチャージした新たな電子マネー媒体を発行する。
【００３８】
ユーザＩ／Ｆ部３３０は、残額取得部３５０から通知されるプリペイドカードの残額を表示した上で、この残額以下であって電子マネー媒体へのチャージを希望する額を選択させる表示を行う。また、ユーザＩ／Ｆ部３３０は、選択された選択額が電子マネー媒体へチャージしきれない場合に、電子マネー媒体のチャージの上限額を超える超過額の処理方法を選択させる表示を行う。
【００３９】
接続部３４０は、カード精算装置２００と接続し、カード精算装置２００から送出されるプリペイドカードの残額を受け取り、チャージ額決定部３９０から出力される超過額をカード精算装置２００へ送出する。
【００４０】
残額取得部３５０は、接続部３４０によって受け取られたプリペイドカードの残額を取得し、ユーザＩ／Ｆ部３３０に表示させる。選択額取得部３６０は、ユーザＩ／Ｆ部３３０の操作により遊技客がチャージする額として選択した金額を選択額として取得し、超過額算出部３８０へ出力する。
【００４１】
余裕額算出部３７０は、Ｒ／Ｗ部３１０から通知される上限額から電子マネー残高を減算し、Ｒ／Ｗ部３１０に接近した電子マネー媒体に現時点でチャージすることができる余裕額を算出する。超過額算出部３８０は、選択額取得部３６０によって取得された選択額から余裕額算出部３７０によって算出された余裕額を減算することにより、上限額を超えてしまうため、電子マネー媒体にチャージすることができない超過額を算出する。
【００４２】
チャージ額決定部３９０は、超過額算出部３８０によって算出された超過額が０以下である場合は、選択額取得部３６０によって取得された選択額を電子マネー媒体に追加チャージするようＲ／Ｗ部３１０に指示する。
【００４３】
また、チャージ額決定部３９０は、超過額算出部３８０によって算出された超過額が０を超える場合は、ユーザＩ／Ｆ部３３０に超過額を表示させた上で、この超過額の処理方法を選択させる表示を行わせる。具体的な処理方法としては、超過額を現金として払い出す、超過額を新たな電子マネー媒体にチャージする、超過額を別の電子マネー媒体にチャージする、および超過額をギフトとして他人（または本人）へ贈与するなどがある。同時に、チャージ額決定部３９０は、電子マネー残高がチャージ上限額に等しくなるように、余裕額算出部３７０によって算出された余裕額を電子マネー媒体に追加チャージするようＲ／Ｗ部３１０に指示する。
【００４４】
そして、チャージ額決定部３９０は、ユーザＩ／Ｆ部３３０における処理方法の選択を検知し、現金の払い出しが選択された場合は、超過額を接続部３４０からカード精算装置２００へ送出させる。また、新たな電子マネー媒体へのチャージが選択された場合は、新規媒体発行部３２０へ超過額を通知する。また、別の電子マネー媒体へのチャージが選択された場合は、ユーザＩ／Ｆ部３３０に別の電子マネー媒体をＲ／Ｗ部３１０に接近させる旨の指示を表示させた後、Ｒ／Ｗ部３１０へ超過額を通知する。さらに、超過額をギフトとすることが選択された場合は、図示しない外部とネットワークを介して通信し、超過額をギフトとする旨を送信する。
【００４５】
次いで、上記のように構成されたカード精算装置２００および電子マネー端末装置３００によるプリペイドカードの残額の精算時の動作について図４に示すフロー図を参照しながら説明する。
【００４６】
遊技客は、パチンコ機７００における遊技を終了すると、カードユニット６００に挿入されている（残額がある）プリペイドカードを取り出し、カード精算装置２００へ持参する。そして、遊技客によって、プリペイドカードがカード受付部２１０の挿入口に挿入されると（ステップＳ１０１）、ＩＤ読取部２５０によってプリペイドカードのＩＤが読み取られる。読み取られたＩＤは、通信Ｉ／Ｆ部２６０からＴ／Ｃ１００へ送信される（ステップＳ１０２）。
【００４７】
プリペイドカードのＩＤがＴ／Ｃ１００によって受信されると、Ｔ／Ｃ１００では、受信されたＩＤに対応付けて記憶されているプリペイドカードの残額が読み出され、カード精算装置２００へ返信される。そして、カード精算装置２００の通信Ｉ／Ｆ部２６０にプリペイドカードの残額が受信されると（ステップＳ１０３）、残額検出部２７０によって、受信された残額が検出され、表示部２３０および制御部２８０へ出力される。その後、表示部２３０によって残額が表示され、同時に精算方法の選択を指示する旨が表示される（図２の表示部２３０参照）。
【００４８】
遊技客は、表示部２３０の表示を確認し、入力部２２０を操作して現金または電子マネーチャージのどちらかを精算方法として選択する。遊技客の選択は、入力部２２０から制御部２８０へ伝達され、制御部２８０によって精算方法として現金精算が選択されたか否かが判断される（ステップＳ１０４）。この判断の結果、精算方法として現金精算が選択されていれば（ステップＳ１０４Ｙｅｓ）、制御部２８０の制御によって、現金払出部２４０からプリペイドカードの残額相当の現金が払い出される（ステップＳ１０５）。
【００４９】
また、ステップＳ１０４の判断の結果、精算方法として電子マネーのチャージによる精算が選択されていれば（ステップＳ１０４Ｎｏ）、制御部２８０からプリペイドカードの残額が接続部２９０へ出力され、接続部２９０から電子マネー端末装置３００の接続部３４０へ残額が通知される（ステップＳ１０６）。
【００５０】
遊技客は、精算方法として電子マネーのチャージを選択すると、例えばＩＣカードや携帯電話などの電子マネー媒体を電子マネー端末装置３００のＲ／Ｗ部３１０に接近させる。そして、Ｒ／Ｗ部３１０によって、電子マネー媒体のチャージ可能な上限額と現時点での電子マネー残高とが読み出される。読み出された上限額および電子マネー残高は、余裕額算出部３７０へ出力され、上限額から電子マネー残高が減算されて現時点で追加チャージできる余裕額が算出される（ステップＳ２０１）。すなわち、例えば電子マネー媒体のチャージの上限額が３００００円、現時点での電子マネー残高が２７０００円であれば、余裕額は３０００円と算出される。算出された余裕額は、超過額算出部３８０へ出力される。
【００５１】
一方、カード精算装置２００の接続部２９０から電子マネー端末装置３００の接続部３４０にプリペイドカードの残額が通知されると、残額取得部３５０によって、残額が取得され、ユーザＩ／Ｆ部３３０へ出力される。その後、ユーザＩ／Ｆ部３３０によって残額が表示され、同時にチャージを希望する額の選択を指示する旨が表示される。すなわち、例えばプリペイドカードの残額が４５００円であれば、ユーザＩ／Ｆ部３３０には、図５の上段に示すように、全額のチャージまたは４５００円以下の金額（１０００円および３０００円）のチャージを指定する領域（図５中実線で示す領域）のみが押圧可能に表示される。遊技客は、ユーザＩ／Ｆ部３３０の表示を確認し、チャージ額を選択する（ステップＳ２０２）。ここでは、遊技客がプリペイドカードの残額の全部をチャージすると選択したものとして説明を進める。
【００５２】
遊技客がユーザＩ／Ｆ部３３０において、選択したチャージ額の領域を押圧すると、押圧された領域の選択額が選択額取得部３６０によって取得される。取得された選択額は、超過額算出部３８０へ出力され、選択額から既に超過額算出部３８０へ出力されている余裕額が減算されることにより超過額が算出される（ステップＳ２０３）。余裕額は、現時点の電子マネー媒体に追加チャージできる金額であり、選択額は、現時点の電子マネー媒体に追加チャージを希望する金額であるため、超過額算出部３８０によって算出される超過額は、電子マネー媒体のチャージの上限額を超えてしまって追加チャージすることができない金額を示している。
【００５３】
算出された超過額は、チャージ額決定部３９０へ出力され、この超過額が０以下であるか否かが判定される（ステップＳ２０４）。すなわち、超過額が０以下で、電子マネー媒体のチャージの上限額を超えることなく、選択額をすべて追加チャージできるか否かが判定される。この判定の結果、超過額が０以下、換言すれば、選択額が余裕額以下であれば（ステップＳ２０４Ｙｅｓ）、チャージ額決定部３９０によって選択額がＲ／Ｗ部３１０へ通知され、Ｒ／Ｗ部３１０によって電子マネー媒体に選択額が追加チャージされる（ステップＳ２０５）。このとき、超過額が０以下であるため、追加チャージ後の電子マネー残高が電子マネー媒体のチャージの上限額を超えることはない。これにより、プリペイドカードの残額の精算が完了する。
【００５４】
なお、ステップＳ２０２におけるチャージ額の選択において、プリペイドカードの残額の一部をチャージすると選択された場合（すなわち、例えばプリペイドカードの残額４５００円に対し、選択額が３０００円の場合など）は、プリペイドカードの残額と選択額との差額が接続部３４０からカード精算装置２００へ通知され、カード精算装置２００の制御部２８０の制御により、現金払出部２４０から現金で払い出されるようにすれば良い。
【００５５】
一方、ステップＳ２０４の判定の結果、超過額が０より大きい、換言すれば、選択額が余裕額より大きければ（ステップＳ２０４Ｎｏ）、チャージ額決定部３９０によって余裕額がＲ／Ｗ部３１０へ通知され、Ｒ／Ｗ部３１０によって電子マネー媒体に余裕額が追加チャージされる（ステップＳ２０６）。このとき、追加チャージ後の電子マネー残高は、電子マネー媒体のチャージの上限額に等しくなっている。これにより、プリペイドカードの残額のうち、余裕額相当の金額については電子マネーとしてチャージされ、精算が完了するが、超過額相当の金額については未清算である。
【００５６】
そこで、チャージ額決定部３９０によって、ユーザＩ／Ｆ部３３０へ超過額が出力され、ユーザＩ／Ｆ部３３０によって、超過額の処理方法の選択を指示する旨が表示される。すなわち、例えばプリペイドカードの残額が４５００円かつ余裕額が３０００円であれば、ユーザＩ／Ｆ部３３０には、図５の中段に示すように、余裕額に等しい３０００円がチャージされ、超過額１５００円の処理方法を問い合わせる旨の表示がなされる。そして、図５の下段に示すように、超過額１５００円を現金とするか（図５中「現金」）、新たな電子マネー媒体にチャージするか（図５中「新規発行」）、遊技客が所持する他の電子マネー媒体にチャージするか（図５中「別媒体にチャージ」）、他人（または本人）にギフトとして贈与するか（図５中「ギフト」）の選択が促される。遊技客は、ユーザＩ／Ｆ部３３０の表示を確認し、超過額の処理方法を選択する。
【００５７】
遊技客がユーザＩ／Ｆ部３３０において、選択した処理方法の領域を押圧すると、押圧された領域の処理方法がチャージ額決定部３９０へ通知され、チャージ額決定部３９０によって超過額を現金として精算することが選択されたか否かが判定される（ステップＳ２０７）。この判定の結果、超過額を現金精算する場合は（ステップＳ２０７Ｙｅｓ）、超過額が接続部３４０およびカード精算装置２００の接続部２９０を介して制御部２８０へ通知され、制御部２８０の制御によって、超過額に相当する現金が現金払出部２４０から払い出される（ステップＳ１０７）。これにより、プリペイドカードの残額は、電子マネーおよび現金としてすべて精算されたことになる。そして、遊技客は、プリペイドカードの残額を一旦現金に精算することなく、一度の処理で所望の金額を電子マネー媒体に追加チャージすると同時に、残りの残額を現金に精算することができる。
【００５８】
また、ステップＳ２０７の判定の結果、超過額を現金精算しない場合は（ステップＳ２０７Ｎｏ）、遊技客の選択に応じたチャージなどの処理が行われる（ステップＳ２０８）。具体的には、新たな電子マネー媒体へのチャージが選択された場合は、超過額がチャージ額決定部３９０から新規媒体発行部３２０へ通知され、新規媒体発行部３２０によって超過額がチャージされた新たな電子マネー媒体が発行される。他の電子マネー媒体へのチャージが選択された場合は、例えばユーザＩ／Ｆ部３３０に別の電子マネー媒体をＲ／Ｗ部３１０に接近させるよう指示する表示がなされ、超過額がチャージ額決定部３９０からＲ／Ｗ部３１０へ通知され、別の電子マネー媒体に超過額がチャージされる。さらに、他人（または本人）への贈与が選択された場合は、チャージ額決定部３９０が図示しない外部の電子マネー管理センターなどと通信し、超過額の通知を含む所定のギフト贈与処理が行われる。
【００５９】
以上のように、本実施の形態によれば、プリペイドカードの残額を追加チャージすると電子マネー残高が電子マネー媒体にチャージ可能な上限額を超えてしまう場合は、上限額を超える超過額を現金として払い出したり、別の電子マネー媒体にチャージしたりする。このため、プリペイドカードの残額および電子マネー媒体の電子マネー残高がいくらであっても、一度の処理で電子マネー媒体のチャージ上限額まではプリペイドカードの残額をチャージ精算すると同時に超過額も精算することができ、電子マネー媒体のチャージ上限額に配慮する必要がなく、簡便に電子マネーをチャージすることができる。
【００６０】
（実施の形態２）
本発明の実施の形態２の特徴は、現金を払い出すカード精算装置が出金可能な金種が限定されている場合、現金で払い出される超過額をカード精算装置から出金可能なように調整する点である。
【００６１】
本実施の形態に係る遊技店内の遊技システムの概略は実施の形態１（図１）と同様であるため、その説明を省略する。また、本実施の形態に係るカード精算装置２００は、現金払出部２４０から硬貨を出金することができず、紙幣のみが払い出される点以外は実施の形態１（図２および図３）と同様であるため、その説明を省略する。
【００６２】
図６は、本実施の形態に係る電子マネー端末装置３００の要部構成を示すブロック図である。同図において、図３と同じ部分には同じ符号を付し、その説明を省略する。図６に示す電子マネー端末装置３００は、Ｒ／Ｗ部３１０、新規媒体発行部３２０、ユーザＩ／Ｆ部３３０、接続部３４０、残額取得部３５０、選択額取得部３６０、余裕額算出部３７０、超過額算出部３８０、出金可能金種検出部８１０、およびチャージ額決定部８２０を有している。
【００６３】
出金可能金種検出部８１０は、接続部３４０に接続されたカード精算装置２００が払い出すことのできる貨幣の種類（金種）を検出し、チャージ額決定部８２０へ通知する。具体的には、出金可能金種検出部８１０は、接続部３４０に接続されたカード精算装置２００から例えば機種を示す信号を受け取るなどして、カード精算装置２００が出金可能な金種を判断する。本実施の形態においては、カード精算装置２００は、紙幣のみの出金が可能であるものとする。換言すれば、本実施の形態に係るカード精算装置２００は、５００円以下の硬貨を払い出すことができない。
【００６４】
チャージ額決定部８２０は、超過額算出部３８０によって算出された超過額が０以下である場合は、選択額取得部３６０によって取得された選択額を電子マネー媒体に追加チャージするようＲ／Ｗ部３１０に指示する。また、チャージ額決定部８２０は、超過額算出部３８０によって算出された超過額が０を超える場合は、ユーザＩ／Ｆ部３３０に超過額を表示させた上で、この超過額の処理方法を選択させる表示を行わせる。
【００６５】
そして、チャージ額決定部８２０は、ユーザＩ／Ｆ部３３０における処理方法の選択を検知し、現金の払い出しが選択された場合は、出金可能金種検出部８１０によって検出された出金可能金種を考慮して、超過額をカード精算装置２００から払い出すことができる金額に調整する。すなわち、超過額に１０００円未満の端数があれば、超過額を１０００円単位で切り上げ、切り上げられた金額を余裕額から減算して電子マネー媒体に追加チャージする。例えば、プリペイドカードの残額が４５００円のとき、余裕額が３０００円で超過額が１５００円である場合は、超過額を２０００円に切り上げ、切り上げられた５００円を余裕額から減算して、電子マネー媒体にチャージする金額を２５００円にする。
【００６６】
チャージ額決定部８２０は、調整後の超過額を接続部３４０からカード精算装置２００へ送出させるとともに、余裕額から超過額の調整分が減算された金額をＲ／Ｗ部３１０へ通知し、電子マネー媒体に追加チャージさせる。なお、チャージ額決定部８２０は、超過額の処理方法として、現金の払い出し以外が選択された場合は、実施の形態１のチャージ額決定部３９０と同様の処理を行う。
【００６７】
次いで、上記のように構成された電子マネー端末装置３００によるプリペイドカードの残額の電子マネー精算時の動作について図７に示すフロー図を参照しながら説明する。同図において、図４と同じ部分には同じ符号を付し、その詳しい説明を省略する。なお、以下においては、プリペイドカードの残額がチャージ上限額を超えている場合、換言すれば、超過額が０を超えている場合、超過額は現金として払い出されるものとする。
【００６８】
電子マネー端末装置３００が接続部３４０を介してカード精算装置２００と接続されると、まず、出金可能金種検出部８１０によって、カード精算装置２００の現金払出部２４０から払い出すことができる金種が検出される（ステップＳ３０１）。この具体的な方法は、カード精算装置２００から機種情報などの信号を受け取っても良く、また、あらかじめ遊技店の係員などが出金可能金種検出部８１０を操作して手動で設定しても良い。
【００６９】
その後、遊技客がプリペイドカードの残額の精算時に、電子マネー媒体をＲ／Ｗ部３１０に接近させると、Ｒ／Ｗ部３１０によって、電子マネー媒体のチャージ可能な上限額と現時点での電子マネー残高とが読み出され、現時点で追加チャージできる余裕額が算出される（ステップＳ２０１）。
【００７０】
一方、カード精算装置２００からプリペイドカードの残額が通知されると、残額取得部３５０によって、残額が取得され、ユーザＩ／Ｆ部３３０へ出力される。その後、ユーザＩ／Ｆ部３３０によって残額が表示され、同時にチャージを希望する額の選択を指示する旨が表示される（図８の上段参照）。遊技客は、ユーザＩ／Ｆ部３３０の表示を確認し、チャージ額を選択する（ステップＳ２０２）。ここでは、遊技客がプリペイドカードの残額の全部をチャージすると選択したものとして説明を進める。
【００７１】
遊技客がユーザＩ／Ｆ部３３０において、選択したチャージ額の領域を押圧すると、押圧された領域の選択額が選択額取得部３６０によって取得される。取得された選択額は、超過額算出部３８０へ出力され、選択額から余裕額が減算されることにより超過額が算出される（ステップＳ２０３）。
【００７２】
算出された超過額は、チャージ額決定部８２０へ出力され、この超過額が０以下であるか否かが判定される（ステップＳ２０４）。すなわち、超過額が０以下で、電子マネー媒体のチャージの上限額を超えることなく、選択額をすべて追加チャージできるか否かが判定される。この判定の結果、超過額が０以下、換言すれば、選択額が余裕額以下であれば（ステップＳ２０４Ｙｅｓ）、チャージ額決定部８２０によって選択額がＲ／Ｗ部３１０へ通知され、Ｒ／Ｗ部３１０によって電子マネー媒体に選択額が追加チャージされる（ステップＳ２０５）。
【００７３】
一方、ステップＳ２０４の判定の結果、超過額が０より大きい、換言すれば、選択額が余裕額より大きければ（ステップＳ２０４Ｎｏ）、チャージ額決定部８２０によって、出金可能金種検出部８１０によって検出された出金可能金種が考慮され、超過額が調整される（ステップＳ３０２）。具体的には、紙幣のみ出金可能なカード精算装置２００からの払い出しが可能となるように、超過額が１０００円単位で切り上げられる。なお、本実施の形態においては、カード精算装置２００が紙幣のみを出金可能としたため、チャージ額決定部８２０によって超過額が１０００円単位で切り上げられるが、例えばカード精算装置２００が５００円硬貨または紙幣を出金可能である場合は、超過額が５００円単位で切り上げられることになる。
【００７４】
そして、切り上げられた分の調整額は、電子マネー媒体にチャージされる予定であった余裕額から減算され、減算後の金額がＲ／Ｗ部３１０へ通知され、Ｒ／Ｗ部３１０によって電子マネー媒体に余裕額から調整額が減算された金額が追加チャージされる（ステップＳ３０３）。また、１０００円単位で切り上げられた超過額、すなわち超過額に調整額が加算された金額は、接続部３４０からカード精算装置２００へ通知され（ステップＳ３０４）、カード精算装置２００の制御部２８０の制御により、現金払出部２４０から現金で払い出される。
【００７５】
具体的に例を挙げると、プリペイドカードの残額が４５００円かつ余裕額が３０００円であれば、超過額は１５００円となる。しかし、カード精算装置２００は、紙幣のみ出金可能であるため、超過額１５００円を払い出すことができない。このため、チャージ額決定部８２０によって、超過額１５００円が２０００円に切り上げられ、超過額に加算された調整額５００円が余裕額３０００円から減算され、２５００円が電子マネー媒体に追加チャージされる。このとき、２５００円は余裕額３０００円以下であるため、追加チャージ後の電子マネー残高がチャージ上限額を超えることはない。
【００７６】
また、超過額１５００円に調整額５００円が加算された２０００円は、カード精算装置２００の現金払出部２４０から払い出される。２０００円は千円札２枚で払い出し可能であるため、カード精算装置２００が紙幣のみ出金可能であっても、電子マネー端末装置３００から通知された金額を払い出すことができる。
【００７７】
これらの処理と並行して、電子マネー端末装置３００のユーザＩ／Ｆ３３０には、図８の下段に示すように、追加チャージされる金額とカード精算装置２００から現金で払いだされる金額とが表示される。
【００７８】
以上のように、本実施の形態によれば、プリペイドカードの残額のうちチャージ上限額を超える超過額を出金可能な金種を考慮して切り上げ、切り上げ分をチャージ額から減算するとともに、切り上げられた超過額を現金で払い出す。このため、払い出し可能な金種が紙幣のみなどのように限定されている場合でも、現金で払い出される超過額を出金可能な金額に調整し、一度の処理でプリペイドカードの残額を電子マネーおよび現金として精算することができ、電子マネー媒体のチャージ上限額に配慮する必要がなく、簡便に電子マネーをチャージすることができる。
【００７９】
なお、上記各実施の形態においては、電子マネー媒体にチャージ可能な上限額を超えた額を超過額としたが、チャージ上限額は、遊技客が任意に設定できるようにしても良い。また、上記各実施の形態においては、カード精算装置２００と電子マネー端末装置３００を別体として構成するものとしたが、これらを一体としても良い。
【００８０】
また、上記各実施の形態においては、遊技店においてプリペイドカードの残額を電子マネー媒体にチャージする場合について説明したが、本発明は、一般の電子マネーチャージにも適用することができる。すなわち、現金を電子マネー端末装置に投入して電子マネーをチャージする際に、電子マネー媒体のチャージ上限額を超えた分は、再度現金として返金したり、別の電子マネー媒体にチャージしたりすることが考えられる。さらに、本発明の実施の形態２のように、電子マネー端末装置が出金可能な金種を考慮して、チャージ上限額を超える超過額を調整することにより、チャージの際に超過額の返金が確実に行われるようにすることができる。
【産業上の利用可能性】
【００８１】
本発明は、電子マネー媒体のチャージ上限額に配慮する必要がなく、簡便に電子マネーをチャージする場合に適している。
【図面の簡単な説明】
【００８２】
【図１】本発明の実施の形態１に係る遊技システムの概略を示す図である。
【図２】実施の形態１に係るカード精算装置および電子マネー端末装置の外観を示す正面図である。
【図３】実施の形態１に係るカード精算装置および電子マネー端末装置の要部構成を示すブロック図である。
【図４】実施の形態１に係るカード精算装置および電子マネー端末装置の動作を示すフロー図である。
【図５】実施の形態１に係るユーザＩ／Ｆ部の表示例を示す図である。
【図６】本発明の実施の形態２に係る電子マネー端末装置の要部構成を示すブロック図である。
【図７】実施の形態２に係る電子マネー端末装置の動作を示すフロー図である。
【図８】実施の形態２に係るユーザＩ／Ｆ部の表示例を示す図である。
【符号の説明】
【００８３】
２１０  カード受付部
２２０  入力部
２３０  表示部
２４０  現金払出部
２５０  ＩＤ読取部
２６０  通信Ｉ／Ｆ部
２７０  残額検出部
２８０  制御部
２９０、３４０  接続部
３１０  Ｒ／Ｗ部
３２０  新規媒体発行部
３３０  ユーザＩ／Ｆ部
３５０  残額取得部
３６０  選択額取得部
３７０  余裕額算出部
３８０  超過額算出部
３９０、８２０  チャージ額決定部
８１０  出金可能金種検出部
【図１】
2007209445.tif 000003
【図２】
2007209445.tif 000004
【図３】
2007209445.tif 000005
【図４】
2007209445.tif 000006
【図５】
2007209445.tif 000007
【図６】
2007209445.tif 000008
【図７】
2007209445.tif 000009
【図８】
2007209445.tif 000010